(57)【要約】      （修正有）【課題】新聞を２つ折りに折り畳んだり４つ折りに折り畳んでも、同一記事を連続して円滑に読むことができる折り目対応帯状部を設けた新聞を提供する。【解決手段】折り目対応帯状部を設けた新聞１０の新聞紙１２に折り曲げ線１４を形成することにより新聞紙１２は第１新聞紙部１６と第２新聞紙部とに区画されている。第１新聞紙部１６及び第２新聞紙部には横方向に向かって横折り目対応帯状部２０が形成されている。また、第１新聞紙部１６及び第２新聞紙部には縦方向に向かって縦折り目対応帯状部２２が形成されている。第１新聞紙部１６及び第２新聞紙部に横折り目対応帯状部２０と縦折り目対応帯状部２２を形成することにより、第１新聞紙部１６と第２新聞紙部にはそれぞれ第１上部記事欄２４、第２上部記事欄２６、第１下部記事欄３０、第２下部記事欄３２が区画形成される。【選択図】図１
0003190146.tif 000002
【実用新案登録請求の範囲】
【請求項１】
新聞紙の横方向中央部に縦方向に向かって形成された折り曲げ線と、この折り曲げ線を形成することにより前記新聞紙に区画形成された第１新聞紙部及び第２新聞紙部と、この第１新聞紙部及び第２新聞紙部の縦方向中央部に横方向に向かって形成された横折り目対応帯状部と、前記第１新聞紙部及び第２新聞紙部の横方向中央部に縦方向に向かって形成された縦折り目対応帯状部と、前記横折り目対応帯状部と縦折り目対応帯状部を形成することにより前記第１新聞紙部及び第２新聞紙部に形成された第１記事欄、第２記事欄、第３記事欄、第４記事欄と、を有してなることを特徴とする折り目対応帯状部を設けた新聞。
【請求項２】
新聞紙の横方向中央部に縦方向に向かって形成された折り曲げ線と、この折り曲げ線を形成することにより前記新聞紙に区画形成された第１新聞紙部及び第２新聞紙部と、この第１新聞紙部及び第２新聞紙部の縦方向中央部に横方向に向かって形成された横折り目対応帯状部と、前記第１新聞紙部及び第２新聞紙部の横方向中央部に縦方向に向かって形成された縦折り目対応帯状部と、前記横折り目対応帯状部と縦折り目対応帯状部を形成することにより前記第１新聞紙部及び第２新聞紙部に形成された第１記事欄、第２記事欄、第３記事欄、第４記事欄と、前記第１記事欄乃至第４記事欄の少なくとも一つに形成されたメモ欄と、を有してなることを特徴とする折り目対応帯状部を設けた新聞。
【請求項３】
新聞紙の横方向中央部に縦方向に向かって形成された折り曲げ線と、この折り曲げ線を形成することにより前記新聞紙に区画形成された第１新聞紙部及び第２新聞紙部と、この第１新聞紙部及び第２新聞紙部の縦方向中央部に横方向に向かって形成された横折り目対応帯状部と、前記第１新聞紙部及び第２新聞紙部の横方向中央部に縦方向に向かって形成された縦折り目対応帯状部と、前記横折り目対応帯状部と縦折り目対応帯状部を形成することにより前記第１新聞紙部及び第２新聞紙部に形成された第１記事欄、第２記事欄、第３記事欄、第４記事欄と、前記第１記事欄乃至第４記事欄の少なくとも一つに形成されたメモ欄と、このメモ欄の外縁に形成されたミシン目と、を有してなることを特徴とする折り目対応帯状部を設けた新聞。
【請求項４】
前記第１記事欄、第２記事欄、第３記事欄、第４記事欄の少なくとも一つに広告欄を設けたことを特徴とする請求項１、請求項２、請求項３のいずれか１項に記載したことを特徴とする折り目対応帯状部を設けた新聞。
【考案の詳細な説明】
【技術分野】
【０００１】
本考案は、新聞に関し、詳しくは２つ折りに折り畳んだ状態や、４つ折りに折り畳んだ状態でも記事を円滑に読むことができる折り目対応帯状部を設けた新聞に関する。
【背景技術】
【０００２】
混雑している電車やバスの車内等では新聞を折り畳まない状態で読むと新聞が周囲の乗客に当たり迷惑になる場合がある。
そこで、混雑している電車やバスの車内等で新聞を読む場合は新聞が周囲の乗客に当たって迷惑にならないように新聞を２つ折りに折り畳んだり、４つ折りに折り畳んだりして新聞を読む場合がある。
しかし、従来の新聞は新聞紙の上部から下部に向かって記事欄が連続して形成されているため、新聞を２つ折りに折り畳んだり、４つ折りに折り畳んだりすると新聞紙の折り目部が記事部分に形成される。
このため、新聞を２つ折りに折り畳んだり、４つ折りに折り畳んだりした場合は新聞紙の折り目部に記載されている記事を連続して円滑に読むことができない。
そこで、読みかけている記事を続けて読む場合は折り畳んだ新聞を折り畳み直すことにより折り目部をずらしてから記事を読まなければならず、煩雑で面倒であると共に混雑している車内等ではストレスになる。
【考案の概要】
【考案が解決しようとする課題】
【０００３】
本考案は、上記事実に鑑みなされたものであり、新聞を２つ折りに折り畳んだり４つ折りに折り畳んでも記事を連続して円滑に読むことができる折り目対応帯状部を設けた新聞を提供するものである。
【課題を解決するための手段】
【０００４】
請求項１の考案は、新聞紙の横方向中央部に縦方向に向かって形成された折り曲げ線と、この折り曲げ線を形成することにより前記新聞紙に区画形成された第１新聞紙部及び第２新聞紙部と、この第１新聞紙部及び第２新聞紙部の縦方向中央部に横方向に向かって形成された横折り目対応帯状部と、前記第１新聞紙部及び第２新聞紙部の横方向中央部に縦方向に向かって形成された縦折り目対応帯状部と、前記横折り目対応帯状部と縦折り目対応帯状部を形成することにより前記第１新聞紙部及び第２新聞紙部に形成された第１記事欄、第２記事欄、第３記事欄、第４記事欄と、を有してなることを特徴としている。
請求項２の考案は、新聞紙の横方向中央部に縦方向に向かって形成された折り曲げ線と、この折り曲げ線を形成することにより前記新聞紙に区画形成された第１新聞紙部及び第２新聞紙部と、この第１新聞紙部及び第２新聞紙部の縦方向中央部に横方向に向かって形成された横折り目対応帯状部と、前記第１新聞紙部及び第２新聞紙部の横方向中央部に縦方向に向かって形成された縦折り目対応帯状部と、前記横折り目対応帯状部と縦折り目対応帯状部を形成することにより前記第１新聞紙部及び第２新聞紙部に形成された第１記事欄、第２記事欄、第３記事欄、第４記事欄と、前記第１記事欄乃至第４記事欄の少なくとも一つに形成されたメモ欄と、を有してなることを特徴としている。
請求項３の考案は、新聞紙の横方向中央部に縦方向に向かって形成された折り曲げ線と、この折り曲げ線を形成することにより前記新聞紙に区画形成された第１新聞紙部及び第２新聞紙部と、この第１新聞紙部及び第２新聞紙部の縦方向中央部に横方向に向かって形成された横折り目対応帯状部と、前記第１新聞紙部及び第２新聞紙部の横方向中央部に縦方向に向かって形成された縦折り目対応帯状部と、前記横折り目対応帯状部と縦折り目対応帯状部を形成することにより前記第１新聞紙部及び第２新聞紙部に形成された第１記事欄、第２記事欄、第３記事欄、第４記事欄と、前記第１記事欄乃至第４記事欄の少なくとも一つに形成されたメモ欄と、このメモ欄の外縁に形成されたミシン目と、を有してなることを特徴としている。
請求項４の考案は、前記第１記事欄、第２記事欄、第３記事欄、第４記事欄の少なくとも一つに広告欄を設けたことを特徴としている。
【考案の効果】
【０００５】
本考案の折り目対応帯状部を設けた新聞は、新聞を２つ折りに折り畳んだり４つ折りに折り畳んだ場合、折り目部は横折り目対応帯状部、縦折り目対応帯状部に形成されるので記事を円滑に読むことができるという優れた効果を有する。
請求項２の折り目対応帯状部を設けた新聞は、上記優れた効果の他にメモ欄が設けられているのでメモ欄にメモを取ることができるという優れた効果を有する。
請求項３の折り目対応帯状部を設けた新聞は、上記優れた効果の他にメモ欄をのみを切り取ることによりメモ欄のみを携帯することができるという優れた効果を有する。
また、請求項４の折り目対応帯状部を設けた新聞は、上記優れた効果の他に広告欄を形成したので広告収入を得ることが可能になるという優れた効果を有する。
【図面の簡単な説明】
【０００６】
【図１】実施例の折り目対応帯状部を設けた新聞の正面図である。
【図２】実施例の折り目対応帯状部を設けた新聞の新聞紙を展開した展開平面図である。
【図３】実施例の折り目対応帯状部を設けた新聞の新聞紙を展開した展開背面図である。
【図４】実施例の折り目対応帯状部を設けた新聞を横方向に２つ折りに折り畳んだ状態の正面図である。
【図５】実施例の折り目対応帯状部を設けた新聞を縦方向に２つ折りに折り畳んだ状態の表面側図である。
【図６】実施例の折り目対応帯状部を設けた新聞を４つ折り折りに折り畳んだ状態の正面図である。
【図７】実施例の折り目対応帯状部を設けた新聞を縦方向に２つ折りに折り畳んで新聞紙を捲った状態の裏側面図である。
【考案を実施するための形態】
【０００７】
考案を実施するために最良の形態の例として以下のような実施例を示す。
【実施例１】
【０００８】
図１〜図７には本考案に係る折り目対応帯状部を設けた新聞１０の一実施例が示されている。
実施例の折り目対応帯状部を設けた新聞１０は、複数枚の新聞紙１２を綴じるように重
ね合わせて構成されている。
【０００９】
図２には前記折り目対応帯状部を設けた新聞１０の一番外側に配設される新聞紙１２を
展開した表側面１２Ａが示され、図３には前記折り目対応帯状部を設けた新聞１０の一番
外側に配設される新聞紙１２を展開した裏側面１２Ｂが示されている。
【００１０】
図２及び図３に示されるように、この新聞紙１２の横方向（図２、図３矢印Ａ方向）の中央部には縦方向（図２、図３矢印Ｂ方向）に向かって折り曲げ線１４が形成されている。この折り曲げ線１４を形成することにより前記新聞紙１２は第１新聞紙部１６と第２新聞紙部１８とに区画されている。
【００１１】
前記第１新聞紙部１６及び第２新聞紙部１８の縦方向中央部には横方向に向かって横折り目対応帯状部２０が形成されている。
また、前記第１新聞紙部１６及び第２新聞紙部１８の横方向中央部には縦方向に向かって縦折り目対応帯状部２２が形成されている。なお、この実施例では前記横折り目対応帯状部２０と前記縦折り目対応帯状部２２の幅寸法は２０ｍｍに設定されている。
【００１２】
前記第１新聞紙部１６及び第２新聞紙部１８に前記横折り目対応帯状部２０と前記縦折り目対応帯状部２２を形成することにより、前記第１新聞紙部１６と第２新聞紙部１８にはそれぞれ第１記事欄としての第１上部記事欄２４、第２記事欄としての第２上部記事欄２６、第３記事欄としての第１下部記事欄３０、第４記事欄としての第２下部記事欄３２の４つの記事欄が区画形成される。
【００１３】
この実施例においては前記第１上部記事欄２４、第２上部記事欄２６、第１下部記事欄３０、第２下部記事欄３２には縦方向に３段の記載部３４が形成されている。この記載部３４には記事等が記載されるようになっている。
この実施例では１つの記事の量は第１上部記事欄２４又は第２上部記事欄２６又は第１下部記事欄３０又は第２下部記事欄３２のスペース内で収まる量とされている。
【００１４】
なお、この実施例では折り目対応帯状部を設けた新聞１０の一番外側に配設される新聞紙１２の内側に綴じられる全ての新聞紙１２の第２上部記事欄２６と第２下部記事欄３２は読者に早く読んで欲しい記事や重要記事をできるだけ記載する重要記事記載領域欄とされている。その理由は一番外側に配設される新聞紙１２にはトップニュース等の重要記事が記載されることは勿論であるが折り目対応帯状部を設けた新聞１０を縦に２つ折りに折り畳んで新聞紙１２を捲って記事を読む場合、通常、図７に示されるように第２上部記事欄２６と第２下部記事欄３２が読者の手前側になるように捲られるので第２上部記事欄２６と第１下部記事欄３２に記載された前記重要記事記載領域欄の記事が読者の目に留まり易いからである。
【００１５】
また、前記第２下部記事欄３２の下部にはメモ欄３６が形成されている。このメモ欄３６は折り目対応帯状部を設けた新聞１０を読んで気が付いた事や今日のスケジュール等をメモできるようになっている。
【００１６】
また、前記メモ欄３６の外縁にはミシン目３８が形成されている。このため、メモ欄３６にメモを書いた場合にミシン目３８を切ることにより、メモ欄３８だけを簡単に切り取ることができるようになっている。
【００１７】
また、前記メモ欄３６の隣には書籍等をはじめとして色々な商品の広告を記載する広告欄３９が形成されている。
【００１８】
また、前記新聞紙１２の第１上部記事欄２４、第２上部記事欄２６、第１下部記事欄３０、第２下部記事欄３２の縦方向中央部と対応する位置には穴あけパンチ用目印４０が印刷されている（なお、穴あけパンチ用目印４０が作図上図面の側端部に位置する場合は穴あけパンチ用目印４０を明確にするため僅かに突出させて記載した）。
【００１９】
次に、実施例の折り目対応帯状部を設けた新聞１０の作用を説明する。
図４に示されるように、折り目対応帯状部を設けた新聞１０を横方向に２つ折りに折り畳むと折り目対応帯状部を設けた新聞１０は横折り目対応帯状部２０で折り曲げられる。
このため、前記折り目対応帯状部を設けた新聞１０を横方向に２つ折りに折り畳むと折り目部は横折り目対応帯状部２０に形成されるので、折り目部が前記第１上部記事欄２４、第２上部記事欄２６、第１下部記事欄３０、第２下部記事欄３２に折り目部は形成されないため前記第１上部記事欄２４、第２上部記事欄２６、第１下部記事欄３０、第２下部記事欄３２に記載されている記事を円滑に読むことができる。
【００２０】
また、図５に示されるように、折り目対応帯状部を設けた新聞１０を縦方向に２つ折りに折り畳むと折り目対応帯状部を設けた新聞１０は縦折り目対応帯状部２２で折り曲げられる。
このため、前記折り目対応帯状部を設けた新聞１０を縦方向に２つ折りに折り畳むと折り目部は縦折り目対応帯状部２２に形成されるので、折り目部が前記第１上部記事欄２４、第２上部記事欄２６、第１下部記事欄３０、第２下部記事欄３２に折り目部は形成されないため前記第１上部記事欄２４、第２上部記事欄２６、第１下部記事欄３０、第２下部記事欄３２に記載されている記事を円滑に読むことができる。
【００２１】
図６に示されるように、前記折り目対応帯状部を設けた新聞１０を４つ折りに折り畳むと折り目対応帯状部を設けた新聞１０は横折り目対応帯状部２０、縦折り目対応帯状部２２で折り曲げられる。
このため、前記折り目対応帯状部を設けた新聞１０を４つ折りに折り畳むと折り目部は横折り目対応帯状部２０、縦折り目対応帯状部２２に形成されるので、前記第１上部記事欄２４、第２上部記事欄２６、第１下部記事欄３０、第２下部記事欄３２に折り目部は形成されないため前記第１上部記事欄２４、第２上部記事欄２６、第１下部記事欄３０、第２下部記事欄３２に記載されている記事を円滑に読むことができる。
従って、前記折り目対応帯状部を設けた新聞１０は２つ折に折り畳んだり、あるいは４つ折に折り畳んでも折り畳み直すことなく記事を円滑に読むことができる。
【００２２】
この結果、従来の新聞のように読みかけている記事を続けて読む場合に新聞を折り畳み直すことがないので、煩雑で面倒でなく、また混雑している車内で新聞を折り畳み直す必要がないのでストレスなく新聞を読むことができる。
【００２３】
また、前記第２下部記事欄３２にはメモ欄３６が形成されているので折り目対応帯状部を設けた新聞１０を読んで気が付いた事や今日のスケジュール等をメモしたい場合は忘れないうちにメモ欄３６にメモすることができる。
【００２４】
なお、前記メモ欄３６の外縁にはミシン目３８が形成されているため、折り目対応帯状部を設けた新聞１０を読み終わった場合はミシン目３８を切ることにより、メモ欄３８だけを簡単に切り取ってメモ欄３８だけを携帯することができる。
【００２５】
また、前記折り目対応帯状部を設けた新聞１０には書籍等をはじめとして色々な商品の広告を記載する広告欄３９が形成されているので、広告収入を得ることができる。
【００２６】
また、前記折り目対応帯状部を設けた新聞１０を読んで記事をスクラップしたい場合は前記第１上部記事欄２４、第２上部記事欄２６、第１下部記事欄３０、第２下部記事欄３２は同じ大きさであるので、従来のようなスクラップ帖の台紙に貼付することを不要にできる。
【００２７】
さらに、前記穴あけパンチ用目印４０が設けられているため、記事をスクラップする場合はスクラップする記事が記載されている第１上部記事欄２４、第２上部記事欄２６、第１下部記事欄３０、第２下部記事欄３２を切り取り、切り取った記事欄の穴あけパンチ用目印４０を目印にして穴あけパンチ（図示せず）でパンチ穴をあけることができるので記事のスクラップ作業を迅速に行うことができる。
【００２８】
なお、実施例では記載される記事の量は第１上部記事欄２４又は第２上部記事欄２６又は第１下部記事欄３０又は第２下部記事欄３２の１つのスペース内で収まる量にしたが、記事の量はこれよりも多くてもよい。
また、実施例ではメモ欄３６を第２下部記事欄３２の下部に形成したが、メモ欄３６を
形成する場所は第２下部記事欄３２の下部に限定されないことは勿論であり、メモ欄３６
の数も実施例に限定されないことは勿論である。
さらに、実施例ではメモ欄３６を新聞紙１２の表側面１２Ａと裏側面１２Ｂの両面に形
成したが、表側面１２Ａ又は裏側面１２Ｂの一方にのみ形成してもよいことは勿論である
。
なお、前記メモ欄３６の大きさのサイズは限定されないが、例えばシステム手帳に保存できる大きさのサイズにして切り取ったメモ欄３５をシステム手帳に保存するようにしてもよい。
また、実施例では前記第１上部記事欄２４、第２上部記事欄２６、第１下部記事欄３０、第２下部記事欄３２には縦方向に３段の記事記載部３４を形成したが、記事記載欄３４は２段以下あるいは４段以上でもよいことは勿論である。
なお、実施例では前記横折り目対応帯状部２０と前記縦折り目対応帯状部２２の幅寸法を２０ｍｍに設定したが、前記横折り目対応帯状部２０と前記縦折り目対応帯状部２２の幅寸法は２０ｍｍよりも大きくても小さくてもよく、２０ｍｍに限定されるものでないことは勿論である。
【符号の説明】
【００２９】
１０    折り目対応帯状部を設けた新聞
１２    新聞紙
１２Ａ  表側面
１２Ｂ  裏側面
１４    折り曲げ線
１６    第１新聞紙部
１８    第２新聞紙部
２０    横折り目対応帯状部
２２    縦折り目対応帯状部
２４    第１上部記事欄
２６    第２上部記事欄
３０    第１下部記事欄
３２    第２下部記事欄
３４    記載部
３６    メモ欄
３８    ミシン目
３９    広告欄
４０    穴あけパンチ用目印
【図１】
0003190146.tif 000003
【図２】
0003190146.tif 000004
【図３】
0003190146.tif 000005
【図４】
0003190146.tif 000006
【図５】
0003190146.tif 000007
【図６】
0003190146.tif 000008
【図７】
0003190146.tif 000009